(57)【要約】【課題】転写ヘッドをケースからダブルノック式に出没させることができる塗膜転写具を提供すること。【解決手段】転写テープの繰出しリールと、塗膜を被転写体に押圧して転写する転写ヘッド３１と、転写後の基材テープを巻取る巻取りリール及び両リールを連動させる連動機構とを具えた内部カセット３０がケース２０に収納される塗膜転写具１０において、内部カセット３０を転写ヘッド３１の反突出方向へ付勢する弾性体Ｓと、ケース後端より突出するノック部材５０と、内部カセット３０とノック部材５０の間に配置された回転部材４０とを具え、内部カセット３０、回転部材及びノック部材が軸方向に連動可能で、ノック部材５０が押圧されるとケース先端から転写ヘッド３１が突出して転写可能な状態に保持され、さらにノック部材５０が押圧されると転写ヘッド３１がケース内部に収納されるダブルノック機構を有するものとした。【選択図】図１
2006272949.tif 000002
【特許請求の範囲】
【請求項１】
基材テープに塗膜がコーティングされた転写テープを繰出す繰出しリールと、前記塗膜を被転写体に押圧して転写する転写ヘッドと、転写後の基材テープを巻取る巻取りリール及び両リールを連動させる連動機構とを具えた内部カセットがケースに収納される塗膜転写具において、
前記内部カセットを前記転写ヘッドの反突出方向へ付勢する弾性体と、前記ケース後端より突出するノック部材と、前記内部カセットとノック部材の間に配置された回転部材とを有し、
前記内部カセット、回転部材及びノック部材が軸方向に連動可能であり、前記ノック部材が押圧されると前記ケース先端から前記転写ヘッドが突出して転写可能な状態に保持され、さらに前記ノック部材が押圧されると前記転写可能な状態が解除されて前記転写ヘッドがケース内部に収納されるダブルノック機構を有することを特徴とする、
塗膜転写具。
【請求項２】
前記内部カセットが交換可能である、請求項１の塗膜転写具。
【請求項３】
前記内部カセットが幅方向にほぼ対称形状である、請求項２の塗膜転写具。
【請求項４】
前記連動機構がベルト式であり、前記両リールが前記内部カセットに回転可能に軸支され、前記内部カセットが前記両リールの軸間距離短縮機構を有する、請求項１から３のいずれかの塗膜転写具。
【請求項５】
前記軸間距離短縮機構が弾性変形片を具え、前記両リールの軸間距離が前記弾性変形片の弾性変形によって短縮される、請求項４の塗膜転写具。
【発明の詳細な説明】
【技術分野】
【０００１】
本発明は、転写テープ基材の表面にコーティングされた修正用塗膜、接着用粘着剤、装飾用塗膜、マーカー用塗膜等を被転写面に転写する塗膜転写具に関する。
【背景技術】
【０００２】
従来より、塗膜転写具の転写ヘッドを保護する手段としてキャップ式が用いられてきたが、キャップ式のものは、キャップの取外し、取付けの際に手間が掛かる、取外したときに紛失しやすいといった問題があった。
転写ヘッドを保護するための他の手段としては、スライド式やノック式が提案されている（例えば、特許文献１、２を参照。）。特許文献１の装置は、ケース本体に対して摺動可能な保護筒を具え、保護筒を転写ヘッドの先端方向へスライドさせることにより、転写ヘッドを覆って保護する機構を有する。
また、特許文献２の塗膜転写具は、本体ケース後端部のノック部を押圧することにより、転写ヘッドを本体ケース先端部から出し、別部分に設けられた戻りボタンを押圧することにより、転写ヘッドを本体ケース内に収納する構成になっている。
【特許文献１】特開平１０−１１９４８８号公報
【特許文献２】特開２００４−２１６８３７号公報
【発明の開示】
【発明が解決しようとする課題】
【０００３】
しかし、特許文献１のスライド式の転写装置の場合、転写ヘッドが保護筒内部に収納されている状態のときに、保護筒の係止が安定せずに転写ヘッドが露出することがあり、また、転写を行う際には、保護筒部分を押さえる力によって保護筒がスライドしてしまい、転写ヘッドが保護筒内部に隠れて正常な転写が行われないという不具合がある。
特許文献２のノック式の塗膜転写具では、上述したスライド式のような不具合は少ないものの、転写ヘッドの出入れの操作部が別々の部分に設けられているために、操作が煩雑になるという問題がある。
また、交換カセット式の塗膜転写具の場合、交換カセットの装着方向が一方向に限定されているものが主流であるから、交換カセットの交換作業が行い難いという問題がある。
さらに、塗膜転写具を使用するにつれて、繰出しリールに巻回されている転写テープの外径が小さくなるため、転写テープを引き出そうとすると、転写テープに掛ける張力を大きくして引き出さねばならなくなる。そのため、使用終期には塗膜を転写するために被転写面への押圧力を大きくしなければならず、転写作業がしにくくなるという問題もある。
【０００４】
本発明は、上記の点に鑑み、転写ヘッドの出し入れを容易に、且つ、確実に行うことができ、さらに、使用終期でも、比較的小さな押圧力で転写テープを引出すことができる塗膜転写具を提供することを目的とする。
【課題を解決するための手段】
【０００５】
本発明は、基材テープに塗膜がコーティングされた転写テープを繰出す繰出しリールと、前記塗膜を被転写体に押圧して転写する転写ヘッドと、転写後の基材テープを巻取る巻取りリール及び両リールを連動させる連動機構とを具えた内部カセットがケースに収納される塗膜転写具において、
前記内部カセットを前記転写ヘッドの反突出方向へ付勢する弾性体と、前記ケース後端より突出するノック部材と、前記内部カセットとノック部材の間に配置された回転部材とを有し、
前記内部カセット、回転部材及びノック部材が軸方向に連動可能であり、前記ノック部材が押圧されると前記ケース先端から前記転写ヘッドが突出して転写可能な状態に保持され、さらに前記ノック部材が押圧されると前記転写可能な状態が解除されて前記転写ヘッドがケース内部に収納されるダブルノック機構を有することを特徴とする塗膜転写具によって前記の課題を解決した。
なお、前記連動機構がベルト式の場合には、前記内部カセットに、前記両リールの軸間距離を短縮できる機構を設けることができる。
【発明の効果】
【０００６】
本発明によれば、ケース先端から転写ヘッドを突出させる操作と、ケース内に転写ヘッドを収納する操作を同一箇所の押圧により行うことができるため、従来のように指を移動したり、塗膜転写具を持替える必要がなく、操作性に優れる。  また、本発明の請求項２の発明によれば、内部カセットを交換してケースを再利用できるので、廃棄するプラスチックの量を削減することができる。
また、本発明の請求項３の構成によれば、内部カセットの表と裏が逆でもケースに装着することができるため、内部カセットの交換作業が容易になる。
さらに、請求項４及び５の発明によれば、使用終期に、繰出しリールに巻回された転写テープの外径が小さくなっても、比較的小さな押圧力で転写テープを引出すことができる。
【発明を実施するための最良の形態】
【０００７】
以下に、本発明の塗膜転写具を図面に基づいて説明する。
本発明の塗膜転写具では、転写ヘッドの出入れ操作がダブルノック機構により行われる。「ダブルノック機構」とは、筆記具後端のノック部材を押圧して筆記具先端から芯部材を突出させて筆記可能な状態を保持し、さらにノック部材を押圧することにより筆記可能な状態が解除されて芯部材が筆記具内部に収納される構造をいい、従来より、キャップレスのボールペン等に用いられているものである。
図１は、本発明の塗膜転写具の分解斜視図である。図１に示すように、本発明の塗膜転写具１０は、前後両端に開口部１３及び１４が設けられた中空のケース本体１１、ケース蓋体１２、弾性体Ｓ、先端に転写ヘッド３１を具え前記ケース本体１１に収納される内部カセット３０、回転部材４０、ノック部材５０、前記ケース蓋体１２に設けられた案内円筒６０からなる。なお、本明細書中では、ケース本体１１の係合部１５がケース蓋体１２の係合部１６と係合して一体になったものをケース２０と呼ぶことにする。
【０００８】
図２（ａ）は、塗膜転写具１０の転写ヘッド３１がケース本体１１先端から突出した状態、すなわち、使用時の状態を示す斜視図であり、図２（ｂ）は図２（ａ）の上面図、図２（ｃ）は図２（ｂ）のｃ−ｃ線断面図である。
図３（ａ）は、塗膜転写具１０の転写ヘッド３１がケース本体１１内部に収められた状態、すなわち使用しない状態を示す斜視図であり、図３（ｂ）は図３（ａ）の上面図、図３（ｃ）は図３（ｂ）のｃ−ｃ線断面図である。
内部カセット３０は、基材テープに塗膜がコーティングされた転写テープ３２を繰出す繰出しリール３３と、塗膜を被転写体に押圧して転写する転写ヘッド３１と、転写後の基材テープを巻取る巻取りリール３４及び両リールを連動させる連動機構（図示せず。）とを具え、ケース本体１１の後端開口部１４から装着される。
【０００９】
図２及び図３に示すように、ノック部材５０はケース２０の後端、すなわち、案内円筒６０の開口部６１から常に突出し、内部カセット３０とノック部材５０の間には回転部材４０が配置されている。内部カセット３０、回転部材４０及びノック部材５０は、案内円筒６０内部に遊嵌され、軸方向に連動する。
弾性体（ばね）Ｓは、ケース本体１１内面の段部１６と、内部カセット３０に設けられた突起３５との間に嵌挿され、内部カセット３０を後方へ付勢している。この弾性反発力が内部カセット後端部３６を介して回転部材４０及びノック部材５０に伝わり、ケース２０の後端の案内円筒６０に設けられた溝端部６４及び係止部６５で受止められる構造になっている。
【００１０】
図４（ａ）はケース蓋体１２、このケース蓋体１２に設けられた案内円筒６０、回転部材４０、ノック部材５０の正面図であり、図４（ｂ）は図４（ａ）の紙面に沿った中心線で切断した断面図である。
図４に示すように、回転部材４０の外周面には端部が傾斜した突起４１が設けられ、ノック部材５０は外周面に回転止め５１、端部にカム歯５２が設けられている。案内円筒６０の内周面には、回転部材４０の突起４１を案内する案内溝６２、ノック部材５０の回転止め５１を案内する案内溝（図示せず。）及び複数のカム歯６３が形成されている。
【００１１】
まず、一回目のノックにより、ケース本体１１内部に収納された転写ヘッド３１をケース本体１１先端から突出させる機構を説明する。なお、ダブルノック機構は従来技術であり、特公平２−４７３５７号等多くの文献に開示されているので、本件明細書では以下のような簡単な説明に止める。
転写ヘッド３１がケース本体１１内に収められた状態では、回転部材４０に設けられた突起４１は、案内円筒６０内周の案内溝６２の端部６４に当接している。ノック部材５０を押圧することにより、突起４１が案内溝６２に沿って前進し、突起４１が案内溝６２の端から外に押出されると、ノック部材５０に設けられたカム歯５２と突起４１との噛合わせにより、回転部材４０が周方向に僅かに回転する。このとき、案内円筒６０内部にはノック部材５０の回転止め５１に対応する案内溝（図示せず。）が配設されているため、ノック部材５０は周方向には回転しない。その後、ノック部材５０の押圧をやめると、弾性反発力によって突起４１が案内円筒６０のカム歯６３の係止部６５に係合し、転写ヘッド３１がケース本体１１先端より突出し、転写可能な状態が保持される。
【００１２】
次に、二回目のノックにより、転写ヘッド３１をケース本体１１に収納する機構を説明する。
ノック部材５０を再度押圧すると、回転部材４０が前進して突起４１が係止部６５からはずれ、ノック部材５０に設けられたカム歯５２と突起４１との噛合わせにより、回転部材４０が周方向に回転する。その後、ノック部材５０の押圧をやめると、弾性反発力によって突起４１が案内溝６２に沿って溝端部６４まで進み、端部６４に当接することにより、転写ヘッド３１がケース本体１１内に収納される。
【００１３】
なお、本実施形態では、環境を考慮して内部カセット３０を交換可能にしてもよい。内部カセット３０を交換する場合には、ケース本体１１の係合部１５とケース蓋体の係合部１６の係合を解除して、ケース本体１１開口部１４から内部カセット３０の取出し、装着を行う。
【００１４】
また、図１〜図３に示すように、内部カセット３０は幅方向にほぼ対称形状であるから、ケース本体１１に装着する際に、内部カセット３０の表と裏が逆でも装着することができる。従って、装着方向が一方向に限定された従来の交換カセットを用いる場合と比べて、カセット交換を速やかに行うことができる。
【００１５】
さらに、繰出しリール３３及び巻取りリール３４を連動させる連動機構がベルト式の場合には、使用終期にベルトの張力を低下させるために、内部カセット３０に、両リール３３，３４の軸間距離を短縮できる機構７０（以下、「軸間距離短縮機構７０」という。）を設けてもよい。
図５（ａ）は軸間距離短縮機構７０が設けられた内部カセット３０におけるケース３１０の内側の正面図、図５（ｂ）は図５（ａ）の側面図、図５（ｃ）はケース３１０の外側の正面図であり、図６（ａ）は軸間距離短縮機構７０が設けられた内部カセット３０におけるカバー３２０の内側の正面図、図６（ｂ）は図６（ａ）の側面図、図６（ｃ）はカバー３２０の外側の正面図であり、図７は、内部カセット３０に設けられた軸間距離短縮機構７０付近を拡大して示した図である。
内部カセット３０は、ケース３１０に設けられた繰出しリール軸３３０及び巻取りリール軸３４０に、転写テープ３２（図示せず。）が巻回された繰出しリール３３及び巻取りリール３４（図示せず。）が回転可能に軸支され、先端に転写ヘッド３１（図示せず。）が装着され、ケース３１０とカバー３２０の各係合部が係合して一体化された構造となっている。両リール３３，３４は、無端状のゴムベルト（図示せず。）によって連動して回転するようにされている。
【００１６】
図５〜図７に示すように、軸間距離短縮機構７０は、弾性変形片７１と２箇所の切欠き溝７２からなり、ケース３１０の繰出しリール軸３３０と巻取りリール軸３４０との間に形成され、カバー３２０にも同様の位置に形成されている。
塗膜転写具１０の使用初期では、繰出しリール３３に巻回された転写テープ３２（図示せず。）の外径が大きいので、転写テープ３２にはそれほど大きな張力は掛からず、比較的小さな力で引出すことができる。従って、塗膜転写時には、転写ヘッド３１を被転写面に小さな押圧力で押付ければよく、この押圧力によって転写作業中に弾性変形片７１が弾性変形することはない。
【００１７】
塗膜転写具１０を使用するにつれて、繰出しリール３３から転写テープ３２が引出され、巻回された転写テープ３２の外径は次第に減少し、転写テープ３２を引出す力が次第に大きくなる。そのため、使用者が転写ヘッド３１を被転写面に押付けると、弾性変形片７１の両脇が弾性変形して、２箇所の切欠き溝７２の溝幅が狭まり、繰出しリール軸３３０及び巻取りリール軸３４０の軸間距離が短くなる。
軸間距離が短くなると、両リール３３，３４に巻回されているゴムベルトの張力が低下し、ゴムベルトと巻取りリール３４の間に発生する摩擦力が低下するため、ゴムベルトと巻取りリールがスリップするときのトルク（スリップトルク）も低下する。そのため、使用終期であっても、転写テープ３２に掛かる張力が小さくなり、比較的小さな力で転写テープ３２を引出すことができる。
なお、ゴムベルトと巻取りリール間のスリップトルクが、巻取り不良が発生するレベルまで低下しないようにするために、切欠き溝端部にストッパ７３を設けてもよい。
【００１８】
なお、ケース本体１１、ケース蓋体１２及び内部カセット３０の形状、突起４１、カム歯５２、６３の数・形状、軸間距離短縮機構７０の構成は一例であり、上記に限定されない。
【００１９】
以上説明したように、本発明の塗膜転写具によれば、従来より筆記具に用いられてきたダブルノック機構を用いて、ノック部材を押圧するだけで転写ヘッドの出入れ操作を行うことができる。従って、使用者は、筆記具を用いる感覚で、転写ヘッドの出入れを容易に、且つ、確実に行うことができる。
また、本発明の請求項２の発明によれば、内部カセットを交換してケースを再利用することができる。
また、請求項３の構成では、内部カセットの表と裏が逆でも装着することができるため、さらに使い勝手がよいものとなる。
さらに、請求項４及び５の発明によれば、使用終期には、リールの軸間距離を狭めることにより、ベルト式連動機構のベルトの張力を低下させ、比較的小さな押圧力で転写テープを引出すことができる。
【図面の簡単な説明】
【００２０】
【図１】本発明の塗膜転写具の分解斜視図。
【図２】図２（ａ）は、塗膜転写具の転写ヘッドが突出した状態を示す斜視図、図２（ｂ）は図２（ａ）の上面図、図２（ｃ）は図２（ｂ）のｃ−ｃ線断面図。
【図３】図３（ａ）は、塗膜転写具の転写ヘッドがケース内部に収められた状態を示す斜視図、図３（ｂ）は図３（ａ）の上面図、図３（ｃ）は図３（ｂ）のｃ−ｃ線断面図。
【図４】図４（ａ）はケース蓋体、案内円筒、回転部材、ノック部材の正面図、図４（ｂ）は図４（ａ）の紙面に沿った中心線で切断した断面図。
【図５】図５（ａ）は軸間距離短縮機構が設けられた内部カセットにおけるケースの内側の正面図、図５（ｂ）は図５（ａ）の側面図、図５（ｃ）はケースの外側の正面図。
【図６】図６（ａ）は軸間距離短縮機構が設けられた内部カセットにおけるカバーの内側の正面図、図６（ｂ）は図６（ａ）の側面図、図６（ｃ）はカバーの外側の正面図。
【図７】内部カセットに設けられた軸間距離短縮機構付近を拡大して示した図。
【符号の説明】
【００２１】
１０：塗膜転写具
２０：ケース
Ｓ：弾性体
３０：内部カセット
３１：転写ヘッド
３２：転写テープ
３３：繰出しリール
３４：巻取りリール
４０：回転部材
５０：ノック部材
７０：軸間距離短縮機構
７１：弾性変形片
【図１】
2006272949.tif 000003
【図２】
2006272949.tif 000004
【図３】
2006272949.tif 000005
【図４】
2006272949.tif 000006
【図５】
2006272949.tif 000007
【図６】
2006272949.tif 000008
【図７】
2006272949.tif 000009